(57)【要約】      （修正有）【課題】サンプリングノズル先端を配管内に落下させることなく、サンプリングノズルを引き抜くことを可能とする方法の提供。【解決手段】先端２２が配管１１内に露出するように、配管１１に先端２２より基部側に設けられたネジ部２４でネジ込んで取り付けられたサンプリングノズル２１を、配管１１外面に沿って基部で切断する工程、サンプリングノズル２１のネジ部を除去し切らないように、配管１１に残存されたサンプリングノズル２１先端より基部側および配管１１のサンプリングノズル２１周囲の配管１１を除去する工程、配管１１に残存されたサンプリングノズル２１先端２２内側に孔を設けるとともにネジを切る工程、同ネジにネジ棒３１を噛み合わせる工程、ネジ棒操作具４１のネジ棒固定部４２にネジ棒３１の基部を差し込む工程、ネジ棒３１とともに、サンプリングノズル２１先端２２をネジ棒操作具４１で引き抜く工程からなるサンプリングノズル交換方法。【選択図】図６
2014032150.tif 000002
【特許請求の範囲】
【請求項１】
先端より基部側にネジ部が設けられ、先端が配管内に露出するように、配管にネジ部でネジ込んで配管に取り付けられ、配管外面に沿って基部で切断され、次いで、ネジ部を除去し切らないように配管に残存された先端より基部側を除去され、配管に残存された先端内側に孔を設けられるとともにネジを切られるサンプリングノズルと、
サンプリングノズルのネジ部を除去し切らないように配管に残存された先端より基部側の除去とともに、サンプリングノズル周囲の位置する部分を除去される配管と、
サンプリングノズル先端内側に設けられたネジに噛み合わされ、サンプリングノズル先端とともに引き抜かれるネジ棒とからなるサンプリングノズル交換治具。
【請求項２】
先端より基部側にネジ部が設けられ、先端が配管内に露出するように、配管にネジ部でネジ込んで配管に取り付けられ、配管外面に沿って基部で切断され、次いで、ネジ部を除去し切らないように配管に残存された先端より基部側を除去され、配管に残存された先端内側に孔を設けられるとともにネジを切られるサンプリングノズルと、
サンプリングノズルのネジ部を除去し切らないように配管に残存された先端より基部側の除去とともに、サンプリングノズル周囲の位置する部分を除去される配管と、
サンプリングノズル先端内側に設けられたネジに噛み合わされるネジ棒と、
ネジ棒が嵌入されるネジ棒固定部が設けられたネジ棒操作具のネジ棒固定部にネジ棒の基部を差し込み、ネジ棒とともに、サンプリングノズル先端を引き抜くネジ棒操作具とからなるサンプリングノズル交換治具。
【請求項３】
先端が配管内に露出するように、配管に先端より基部側に設けられたネジ部でネジ込んで取り付けられたサンプリングノズルを、配管外面に沿って基部で切断する工程、
サンプリングノズルのネジ部を除去し切らないように、配管に残存されたサンプリングノズル先端より基部側および配管のサンプリングノズル周囲の配管を除去する工程、
配管に残存されたサンプリングノズル先端内側に孔を設けるとともにネジを切る工程、
サンプリングノズル先端内側に設けられたネジにネジ棒を噛み合わせる工程、
ネジ棒とともに、サンプリングノズル先端を引き抜く工程とからなるサンプリングノズル交換方法。
【請求項４】
先端が配管内に露出するように、配管に先端より基部側に設けられたネジ部でネジ込んで取り付けられたサンプリングノズルを、配管外面に沿って基部で切断する工程、
サンプリングノズルのネジ部を除去し切らないように、配管に残存されたサンプリングノズル先端より基部側および配管のサンプリングノズル周囲の配管を除去する工程、
配管に残存されたサンプリングノズル先端内側に孔を設けるとともにネジを切る工程、
サンプリングノズル先端内側に設けられたネジにネジ棒を噛み合わせる工程、
ネジ棒が嵌入されるネジ棒固定部が設けられたネジ棒操作具のネジ棒固定部にネジ棒の基部を差し込む工程、
ネジ棒とともに、サンプリングノズル先端をネジ棒操作具で引き抜く工程とからなるサンプリングノズル交換方法。
【発明の詳細な説明】
【技術分野】
【０００１】
本発明は、サンプリングノズル交換治具及びサンプリングノズル交換方法に係る。
【背景技術】
【０００２】
特許文献１に記載の「ガス流路のサンプリングノズル構造」は、「サンプリング検査を行う準備作業時において、ガス流路内からガスが流出することを防止または抑制できるガス流路のサンプリングノズル構造を提供する。」を解決課題とするものである。
【０００３】
この発明は、「煙道１に設けたサンプリングノズル２の出口開口２ａを塞ぐ盲フランジ４がガスサンプリング時に採取用フランジ５と交換されるガス流路のサンプリングノズル構造において、サンプリングノズル２に固定設置された部材交換治具２０を備え、部材交換治具２０には、盲フランジ４が出口開口２ａを塞ぐ通常位置のスライド方向両側に、採取用フランジ５のフランジ部待機領域と盲フランジ４の待避領域とが設けられ、盲フランジ４及び採取用フランジ５の交換時、盲フランジ４及び採取用フランジ５のフランジ部は、部材交換治具２０により、サンプリングノズル２の軸方向に移動することを阻止された状態で軸方向移動と直交する方向のスライドが許容される。」ものである。
【先行技術文献】
【特許文献】
【０００４】
【特許文献１】特開２００９−２５８０６５号公報
【発明の概要】
【発明が解決しようとする課題】
【０００５】
特許文献１記載の「ガス流路のサンプリングノズル構造」は、ガス流路のサンプリングノズルの構造については記載があるが、サンプリングノズルの交換特に蒸気管に取り付けられた蒸気サンプルを取り出すサンプリングノズルの交換に使用される治具についての記載はない。
参考例の中央断面図をあらわす、図８に図示するように、先端１１２が配管内に露出するように、配管１０１に先端より基部側に設けられたネジ部１１３でネジ込んで取り付けられたサンプリングノズル１１１を、配管１０１外面に沿って基部で切断する工程、図９に図示するように、配管１０１に残存されたサンプリングノズル１１１の先端１１２よりネジ部１１３を含めた基部１１４側および配管１０１のサンプリングノズル１１１周囲の配管１０１を除去する工程、サンプリングノズル１１１先端を引き抜く工程によって、サンプリングノズル交換作業を行っていた。
しかし、図８、図９に図示される参考例では、サンプリングノズル１１１の切削時や引き抜き時に図９に図示されるようにサンプリングノズル１１１の先端が配管１０１内に落下する可能性を有する課題を有した。
更に、図１０に図示する参考例では、サンプリングノズル１１１のネジ部１１３よりも先端１１２寄りに、設けられた隙間１１４をツマミシロとして、サンプリングノズル１１１先端を引き抜く作業を行っていた。
しかし、この場合も、サンプリングノズル１１１の切削時や引き抜き時にサンプリングノズル１１１の先端が配管１０１内に落下する可能性を有する課題を有した。
【０００６】
本発明の目的は、蒸気管に取り付けられた蒸気サンプルを取り出すサンプリングノズル等のサンプリングノズルの交換に使用される治具及びサンプリングノズル交換方法を提供することである。
【課題を解決するための手段】
【０００７】
本発明のサンプリングノズル交換治具は、
先端より基部側にネジ部が設けられ、先端が配管内に露出するように、配管にネジ部でネジ込んで配管に取り付けられ、配管外面に沿って基部で切断され、次いで、ネジ部を除去し切らないように配管に残存された先端より基部側を除去され、配管に残存された先端内側に孔を設けられるとともにネジを切られるサンプリングノズルと、
サンプリングノズルのネジ部を除去し切らないように配管に残存された先端より基部側の除去とともに、サンプリングノズル周囲の位置する部分を除去される配管と、
サンプリングノズル先端内側に設けられたネジに噛み合わされ、サンプリングノズル先端とともにを引き抜かれるネジ棒とを備える。
あるいは、
先端より基部側にネジ部が設けられ、先端が配管内に露出するように、配管にネジ部でネジ込んで配管に取り付けられ、配管外面に沿って基部で切断され、次いで、ネジ部を除去し切らないように配管に残存された先端より基部側を除去され、配管に残存された先端内側に孔を設けられるとともにネジを切られるサンプリングノズルと、
サンプリングノズルのネジ部を除去し切らないように配管に残存された先端より基部側の除去とともに、サンプリングノズル周囲の位置する部分を除去される配管と、
サンプリングノズル先端内側に設けられたネジに噛み合わされるネジ棒と、
ネジ棒が嵌入されるネジ棒固定部が設けられたネジ棒操作具のネジ棒固定部にネジ棒の基部を差し込み、ネジ棒とともに、サンプリングノズル先端を引き抜くネジ棒操作具とを備える。
本発明のサンプリングノズル交換方法は、
先端が配管内に露出するように、配管に先端より基部側に設けられたネジ部でネジ込んで取り付けられたサンプリングノズルを、配管外面に沿って基部で切断する工程、
サンプリングノズルのネジ部を除去し切らないように、配管に残存されたサンプリングノズル先端より基部側および配管のサンプリングノズル周囲の配管を除去する工程、
配管に残存されたサンプリングノズル先端内側に孔を設けるとともにネジを切る工程、
サンプリングノズル先端内側に設けられたネジにネジ棒を噛み合わせる工程、
ネジ棒とともに、サンプリングノズル先端を引き抜く工程、
を備える。
あるいは、
先端が配管内に露出するように、配管に先端より基部側に設けられたネジ部でネジ込んで取り付けられたサンプリングノズルを、配管外面に沿って基部で切断する工程、
サンプリングノズルのネジ部を除去し切らないように、配管に残存されたサンプリングノズル先端より基部側および配管のサンプリングノズル周囲の配管を除去する工程、
配管に残存されたサンプリングノズル先端内側に孔を設けるとともにネジを切る工程、
サンプリングノズル先端内側に設けられたネジにネジ棒を噛み合わせる工程、
ネジ棒が嵌入されるネジ棒固定部が設けられたネジ棒操作具のネジ棒固定部にネジ棒の基部を差し込む工程、
ネジ棒とともに、サンプリングノズル先端をネジ棒操作具で引き抜く工程、
を備える。
【発明の効果】
【０００８】
本発明によれば、配管に取り付けられたサンプリングノズル先端を配管内に落下させることなく、サンプリングノズルを引き抜くことを可能とする。
【図面の簡単な説明】
【０００９】
【図１】この発明の実施の形態をあらわす斜視図である。
【図２】この発明の実施の形態をあらわす中央断面図である。
【図３】この発明の実施の形態をあらわす中央断面図である。
【図４】この発明の実施の形態をあらわす中央断面図である。
【図５】この発明の実施の形態をあらわす中央断面図である。
【図６】この発明の実施の形態をあらわす中央断面図である。
【図７】この発明の実施の形態をあらわす中央断面図である。
【図８】参考例の中央断面図である。
【図９】参考例の中央断面図である。
【図１０】参考例の中央断面図である。
【発明を実施するための形態】
【００１０】
実施の一形態を、この発明の実施の形態の斜視図をあらわす図１、中央断面図をあらわす図２〜図７にしたがって説明する。
１１は配管である。この実施の形態では、配管１１は、蒸気管である。
２１は、サンプリングノズルである。この実施の形態では、蒸気管に取り付けられた蒸気サンプルを取り出すサンプリングノズルである。サンプリングノズル２１は、先端２２より基部２３側にネジ部２４が設けられる。サンプリングノズル２１の中心部には、通路２５が設けられ、通路２５の先端には配管１１へ開口する取り入れ口２６が設けられる。
サンプリングノズル２１は、先端２２が配管１１内に露出するように、配管にネジ部でネジ込んで配管に取り付けられる。
３１は、ネジ棒である。ネジ棒３１は、サンプリングノズル２１先端内側に設けられたネジに噛み合わされる。
４１は、ネジ棒操作具である。ネジ棒操作具４１は、中心部長手方向に、ネジ棒３１が嵌入される孔状からなるネジ棒固定部４２が設けられる。
【００１１】
図１、図２に図示されるように、配管１１にネジ部２４でネジ込んで取り付けられたサンプリングノズル２１を、配管１１外面に沿って基部で、切断線Ａに従って切断する。
次いで、図３に図示されるように、サンプリングノズル２１のネジ部２４を全て除去し切らないように残して、配管１１に残存されたサンプリングノズル２１先端２２より基部２３側および配管のサンプリングノズル２１周囲の配管１１を除去する。
【００１２】
次いで、図４に図示されるように、配管１１に残存されたサンプリングノズル２１先端２２内側に孔Ｂを設けるとともにネジを切る。
次いで、図５に図示されるようにサンプリングノズル２１先端２２内側に設けられたネジにネジ棒３１を噛み合わせる。
ネジ棒３１が嵌入されるネジ棒固定部４２が設けられたネジ棒操作具４１のネジ棒固定部４２にネジ棒の基部を差し込む。
次いで、ネジ棒３１とともに、サンプリングノズル２１先端２２をネジ棒操作具４１で引き抜く。
【００１３】
万が一、ネジ棒３１が、ネジ棒操作具４１から外れて配管１１内部に落下しても、図７に図示されるように、ネジ棒３１が配管１１に引っかかりサンプリングノズル２１先端２３は、下部に落下する。
【符号の説明】
【００１４】
１１  配管
２１  サンプリングノズル
２２  先端
２３  基部
２４  ネジ部
２５  通路
２６  取り入れ口
３１  ネジ棒
４１  ネジ棒操作具
４２  ネジ棒固定部
【図１】
2014032150.tif 000003
【図２】
2014032150.tif 000004
【図３】
2014032150.tif 000005
【図４】
2014032150.tif 000006
【図５】
2014032150.tif 000007
【図６】
2014032150.tif 000008
【図７】
2014032150.tif 000009
【図８】
2014032150.tif 000010
【図９】
2014032150.tif 000011
【図１０】
2014032150.tif 000012